【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
隔壁を間にして複数の画素を有する駆動基板と、
前記隔壁上に設けられた第１遮光膜と
を備えた表示装置。
【請求項２】
前記画素は、発光層を含むと共に、少なくとも一部が複数配置された前記画素間における共通層として設けられた有機層を有し、
前記第１遮光膜は前記隔壁と前記有機層との間に設けられている、請求項１に記載の表示装置。
【請求項３】
前記隔壁は上面に平面を、側面に傾斜面を有し、
前記第１遮光膜は前記隔壁の前記平面上に設けられている、請求項１に記載の表示装置。
【請求項４】
前記隔壁は上面に平面を、側面に傾斜面を有し、
前記第１遮光膜は前記隔壁の前記平面および前記傾斜面に設けられている、請求項１に記載の表示装置。
【請求項５】
前記画素に対応する位置に開口を有すると共に、前記駆動基板に対向配置された対向基板側に設けられたブラックマトリクスを備え、
前記第１遮光膜は表示面から見て前記ブラックマトリクスの前記開口の端面よりも画素側に端面を有する、請求項１に記載の表示装置。
【請求項６】
前記第１遮光膜と前記ブラックマトリクスの間に第２遮光膜を有する、請求項５に記載の表示装置。
【請求項７】
前記第１遮光膜は光吸収性を有する、請求項１に記載の表示装置。
【請求項８】
前記第１遮光膜はカーボン（Ｃ），酸化クロム（Ｃｒ2Ｏ3）およびサマリウム（Ｓｍ）と銀（Ａｇ）との合金あるいは有機材料によって形成されている、請求項７に記載の表示装置。
【請求項９】
前記第１遮光膜は光反射性を有する、請求項１に記載の表示装置。
【請求項１０】
前記第１遮光膜はアルミニウム（Ａｌ），クロム（Ｃｒ），金（Ａｕ），白金（Ｐｔ），ニッケル（Ｎｉ），銅（Ｃｕ），タングステン（Ｗ）あるいは銀（Ａｇ）のうちの少なくとも１種を含む、請求項９に記載の表示装置。
【請求項１１】
前記発光層の発光光は画素ごとに異なる、請求項２に記載の表示装置。
【請求項１２】
前記発光層の発光光は白色光である、請求項２に記載の表示装置。
【請求項１３】
表示装置を備え、
前記表示装置は、
隔壁を間にして複数の画素を有する駆動基板と、
前記隔壁上に設けられた第１遮光膜と
を備えた電子機器。
【手続補正２】
【補正対象書類名】明細書
【補正対象項目名】００１２
【補正方法】変更
【補正の内容】
【００１２】
【図１】本開示の第１の実施の形態に係る表示装置の構成を表す断面図である。
【図２】図１に示した表示装置の遮光膜の形状を表す平面図である。
【図３】図１に示した表示装置における効果を説明する模式図である。
【図４】図１に示した表示装置の全体構成を表す図である。
【図５】図４に示した画素駆動回路の一例を表す回路図である。
【図６】本開示の第２の実施の形態に係る表示装置の構成を表す断面図である。
【図７】図６に示した表示装置における効果を説明する模式図である。
【図８】本開示の第１の実施の形態の変形例に係る表示装置の構成を表す断面図である。
【図９】本開示の第２の実施の形態の変形例に係る表示装置の構成を表す断面図である。
【図１０】本開示の第３の実施の形態に係る表示装置の構成を表す断面図である。
【図１１Ａ】上記実施の形態等の表示装置の適用例１の外観の一例を表す斜視図である。
【図１１Ｂ】図１１Ａに示した適用例１の外観の他の例を表す斜視図である。
【図１２】適用例２の外観を表す斜視図である。
【図１３Ａ】適用例３の閉じた状態の正面図、左側面図、右側面図、上面図および下面図である。
【図１３Ｂ】図１３Ａに示した適用例３の開いた状態の正面図および側面図である。
【手続補正３】
【補正対象書類名】明細書
【補正対象項目名】００１５
【補正方法】変更
【補正の内容】
【００１５】
（１−１．基本構成）
表示装置１では、図１に示したように、各画素２Ｒ，２Ｇ，２Ｂは駆動基板１１上に設けられた隔壁１３によって区画されている。駆動基板１１と対向配置された対向基板２０の対向面には、各画素２Ｒ，２Ｇ，２Ｂに対応する位置（発光素子１０Ｒ，１０Ｇ，１０Ｂ上）にカラーフィルタ（ＣＦ）２２Ｒ，２２Ｇ，２２Ｂがそれぞれ設けられている。各ＣＦ２２Ｒ，２２Ｇ，２２Ｂの間には隣接色画素からの混色を抑制するブラックマトリクス（ＢＭ）２１がそれぞれ設けられている。本実施の形態では、表示装置１は、隔壁１３の上面（具体的には、ＢＭ２１に対向する位置）に遮光膜１４（第１遮光膜）が設けられた構成を有する。
【手続補正４】
【補正対象書類名】明細書
【補正対象項目名】００２１
【補正方法】変更
【補正の内容】
【００２１】
遮光膜１４は、上記のように隔壁１３の上面に設けられており、図２に示したように、平面から見て各画素２Ｒ，２Ｇ，２Ｂを区画する格子形状を有する。遮光膜１４は、図３に示したように、発光層１５Ｂにおける発光光のうち、隣接色画素において混色を起こす虞のある斜め射出光（例えばＬｍ２）の隣接色画素への入射を防ぐものである。遮光膜１４の幅（Ｄ２）は、後述するＢＭ２１の幅（Ｄ１）よりも広いことが好ましい。換言すると、遮光膜１４は表示面から見てＢＭ２１の開口の端面よりも画素側に端面がくるように形成されていることが好ましい。これにより、隣接色画素への入射しうる斜め射出光に対する高い遮光効果が得られる。遮光膜１４の厚みは、例えば０．１μｍ以上１μｍ以下である。遮光膜１４の材料としては、光吸収性を有する材料を用いることが好ましく、例えばＢＭ２１と同種の材料を用いることができる。具体的には、カーボン（Ｃ），酸化クロム（Ｃｒ2Ｏ3）およびサマリウム（Ｓｍ）と銀（Ａｇ）との合金あるいは有機材料等が挙げられる。遮光膜１４は、これら材料からなる単層膜あるいは積層膜として構成される。具体的な積層膜としては、例えば酸化バナジウム（ＶＯ）／Ａｇ等の金属積層膜あるいは、Ａｌ／銅フタロシアニンとＡｌとの混合物（ＣｕＰｃ：Ａｌ）／Ａｌ，Ａｌ／ＤＣＪＴＢ／Ａｌ，Ａｌ／ＤＣＪＴＢ：ＣｕＰｃ：Ａｌ／Ａｌ等の有機材料と金属材料との積層膜が挙げられる。
【手続補正５】
【補正対象書類名】明細書
【補正対象項目名】００４４
【補正方法】変更
【補正の内容】
【００４４】
以上のことから、本実施の形態における表示装置１では、各画素２Ｒ，２Ｇ，２Ｂを区画する隔壁１３上に遮光膜１４を設けるようにしたので、斜め射出光による混色の発生を低減することができる。よって、色度視野角特性の高い表示装置を提供することが可能となる。
【手続補正６】
【補正対象書類名】明細書
【補正対象項目名】００６０
【補正方法】変更
【補正の内容】
【００６０】
（適用例１）
図１１Ａは、スマートフォンの外観の一例、図１１Ｂはスマートフォンの外観の他の例を表したものである。このスマートフォンは、例えば、表示部４１０（表示装置１（あるいは表示装置３〜６））および非表示部（筐体）４２０と、操作部４３０とを備えている。操作部４３０は、図１１Ａに示したように非表示部４２０の前面に設けられていてもよいし、図１１Ｂに示したように上面に設けられていてもよい。
【手続補正７】
【補正対象書類名】明細書
【補正対象項目名】００６１
【補正方法】変更
【補正の内容】
【００６１】
（適用例２）
図１２は、適用例２に係るテレビジョン装置の外観を表したものである。このテレビジョン装置は、例えば、フロントパネル２１０およびフィルターガラス２２０を含む映像表示画面部２００を有しており、映像表示画面部２００が、上記表示装置１，３〜６に相当する。
【手続補正８】
【補正対象書類名】図面
【補正対象項目名】図３
【補正方法】変更
【補正の内容】
【図３】
2015128003.tif 000001
【手続補正９】
【補正対象書類名】図面
【補正対象項目名】図１１Ａ
【補正方法】変更
【補正の内容】
【図１１Ａ】
2015128003.tif 000002
【手続補正１０】
【補正対象書類名】図面
【補正対象項目名】図１１Ｂ
【補正方法】変更
【補正の内容】
【図１１Ｂ】
2015128003.tif 000003